(57)【要約】  【課題】  製造コストの低廉を図れ、やっかいなケーブル支持線の屈曲作業を回避した施工の簡便さ、すなわち、作業性の向上を図れるケーブル引留具を提供する。  【解決手段】  長手方向の一端部を建屋等に設けた受止材に掛止する掛止部３、他端側を挿通切欠４を設けた支持線組付け部５とし、これら掛止部３と支持線組付け部５との間を前記支持線ａの末端部を巻付ける固定部７とした、帯状金属板より成る平板状主体１で構成する。該主体１の前記支持線組付け部の長手方向に沿う両端に、該両側間交互にしてケーブル支持線ａを挿通する前記挿通切欠４を並設する。そして、各挿通切欠４の、前記長手方向に沿う直線上に位置する内縁部に、該内縁部を打出して断面傾斜状の案内部片１０を設け、該案内部片１０の、打出し方向の裏面側の傾斜縁を、ケーブル引留め時に前記ケーブル支持線ａが前記直線上に位置して接する接触縁１０１とする。【選択図】    図１
2012257393.tif 000002
【特許請求の範囲】
【請求項１】
長手方向の一端部を建屋等に設けた受止材に掛止する掛止部、他端側を挿通切欠を設けた支持線組付け部とし、これら掛止部と支持線組付け部との間を前記支持線の末端部を巻付ける固定部とした、帯状板より成る平板状主体の前記支持線組付け部の長手方向に沿う両端に、該両側間交互にしてケーブル支持線を挿通する前記挿通切欠を並設し、各挿通切欠の、前記長手方向に沿う直線上に位置する内縁部に、該内縁部を打出して断面傾斜状の案内部片を設け、該案内部片の、打出し方向の裏面側の傾斜縁を、ケーブル引留め時に前記ケーブル支持線が前記直線上に位置して接する接触縁とした、ケーブル引留具。
【発明の詳細な説明】
【技術分野】
【０００１】
本発明は、光ファイバーケーブル等の通信ケーブルを幹線から分岐したり、或いは建屋に引込む際に用いるケーブル引留具に関するものである。
【背景技術】
【０００２】
長手方向の一端を建屋等に設けた受止部に掛止する係止部とした、帯状金属板より成る引留具主体の前記長手方向に沿う両側に交互にして挿通切欠を並設し、各挿通切欠の奥端部の、ケーブルを係止する大径部を前記長手方向に沿う直線上に配置した構造のものがある（例えば、特許文献１）。また、上記のようなケーブルを直接引留め、支持する従来技術のほか、ケーブル支持線を引留具に巻き付けて通線し、該ケーブル支持線と一体化したケーブルを支持する構造のものも公知である（例えば、特許文献２）。
【先行技術文献】
【特許文献】
【０００３】
【特許文献１】特開２００３−１８９４４９号公報
【特許文献２】意匠登録第１３９７４９７号公報
【発明の概要】
【発明が解決しようとする課題】
【０００４】
前記特許文献１の従来構造のものは、挿通切欠に挿通組付けたケーブルに、引留め操作時にテンションをかける（緊張する）と、引留具主体に薄い金属板で構成してあるので、弾性若しくは塑性変形して大径部の縁部と支持線との間に接触抵抗が働き引留め作業を円滑に行うようにしたもので、主体を薄い金属板で構成してあるので、製造コストや施工上の簡便さを図ることができるが、耐荷重性に劣り、従って重量の嵩むケーブルの引留具として用いるに問題がある。また、ケーブル本体に引張応力が直接作用し、ケーブルの損傷を引きおこす可能性がある。この点、特許文献２の従来技術では、ケーブル支持線の方を引っ張って支持するため、外部応力によるケーブルの損傷を効果的に防止することができる。しかしながら、特許文献２のものは、ケーブル支持線の引留具への巻き付け作業が煩雑で、施工の効率性に劣る問題がある。
【０００５】
本発明は、斯様な従来技術の課題を解決し、施工時の作業性とケーブル本体の保護性能を両立させたケーブル引留具を提供することを目的として創案したものである。
【課題を解決するための手段】
【０００６】
長手方向の一端部を建屋等に設けた受止材に掛止する掛止部、他端側を挿通切欠を設けた支持線組付け部とし、これら掛止部と支持線組付け部との間を前記支持線の末端部を巻付ける固定部とした、帯状板より成る平板状主体の前記支持線組付け部の長手方向に沿う両端に、該両側間交互にしてケーブル支持線を挿通する前記挿通切欠を並設し、各挿通切欠の、前記長手方向に沿う直線上に位置する内縁部に、該内縁部を打出して断面傾斜状の案内部片を設け、該案内部片の、打出し方向の裏面側の傾斜縁を、ケーブル引留め時に前記ケーブル支持線が前記直線上に位置して接する接触縁とした構成とする。
【発明の効果】
【０００７】
本発明によれば、係止部を受止材（建屋や分線用金物など）に掛止して、係止部側の一端に相対する他端側のものから挿通切欠の大径部に支持線を挿通させてテンションをかけると、支持線は挿通切欠の内縁部で構成する接触縁に接するようにして組付けられ、支持線の引留めが行われる。そして、その際、支持線は、傾斜状とした接触縁に接触して挿通切欠の、エッジのない前記内縁部に接することになるから、風圧などが作用して引張られても影響を受けにくく、支持線の引留めを確実にすることができ、ケーブルの保護を担保できる。また、ケーブルの支持線の引留具への巻き付けは、上記挿通切欠への挿通により、掛止部と支持線組付け部との間の固定部に巻き付けるため、従来技術の煩雑な巻き付け作業を解消し、施工の効率化に資するものである。
【図面の簡単な説明】
【０００８】
【図１】使用状態の断面図。
【図２】図１の平面図。
【図３】正面図。
【図４】平面図。
【図５】図４のＡ−Ａ線断面図。
【図６】図３のＢ−Ｂ線断面図。
【発明を実施するための形態】
【０００９】
図面は本発明に係るケーブル引留具の一実施形態を示し、図中、Ａは引留具Ａを示す。
【００１０】
引留具Ａは、容易に屈曲しにくい帯状金属板（合成樹脂板でも良い）をプレス加工した平板状主体１で成り、平板状主体１の一端部を、該主体１の長手方向に沿って長い長孔２を設けて、建屋や架線中間部に設けた分線用金物などに掛止する係止部３と成すと共に、該係止部３と挿通切欠４，４，４を設けた支持線組付け部５の間を、前記主体１の長手方向に沿う両側に切欠６，６を設けて支持線ａの巻付け部７としたものである。
【００１１】
係止部３は長孔２を設けて構成してあるが、要は、建屋などに設けた受止部に引っ掛けられれば良いから、所謂フック状のものでも不都合はない。
【００１２】
前記支持線組付け部５は、平板状主体１の前記長手方向に沿う両側に挿通切欠４を交互に配して構成する。実施形態では一側５´に単一な挿通切欠４を配し、他の一側に該挿通切欠４を間において一対の挿通切欠４，４を配して構成し、交互に配置してあるが、これは必要最小限の挿通切欠数（３）としたもので、該実施形態以上の数量の挿通切欠を設けても良いことは勿論である。
【００１３】
なお、ここで「交互に配置」とは、ケーブルｃの支持線ａを相対的に挿通させる際、実施例のように一側側の複数個のものを他の一側側のものを介して挿通し得れば良いことを意味し、例えば、一側側の互いに隣接する複数の挿通孔を介して他の一側側に複数の挿通孔が形成されている場合において、前記隣接する複数個全部又は一部に挿通する場合（他の一側側の複数の挿通孔に挿通して）も含まれる。
【００１４】
また、挿通切欠４は、平板状すなわち、支持線組付け部５の長手方向に沿う（一側又は他側の）側の開口縁を拡径状にしてケーブル支持線ａを挿通し易くし、奥端部を欠円形状の大径部４Ａと成してケーブル支持線との組付け部とし、各挿通切欠４の大径部４Ａは、平板状主体１の長手方向に沿う直線ａ上に配置されるようにしてケーブル支持線の挿通切欠４での相対的な移動を規制するようにしてある。すなわち、大径部４Ａは挿通切欠４の開口端側に移動しようとすると、開口端側より大径部４Ａ側の径が大きいから、ケーブル支持線の大径部４Ａと前記開口端との間の中間部への移動は、該中間部側との接触抵抗が大きいことになるから前記の相対的な移動を規制することになる。従って、大径部４Ａは、挿通切欠４の奥端部に設けることは必ずしも必要ないが、実施例のように奥端部に設ければ、挿通切欠４内をケーブル支持線を手加減せずに相対的に移動させるだけで正位置に配することができるから組付け作業上は好適である。
【００１５】
そして、挿通切欠４の前記大径部４Ａには、該大径部４Ａの前記支持線ａ上に位置される内縁部に前記支持線組付け部５（平板状主体１）の一方の片面５ａから他の一方の片面５ａ方向に部分的に打ち出して（起立させて）断面傾斜状の案内部片１０を設け、該案内部片１０の打ち出し方向の裏面側の傾斜縁を前記ケーブル支持線が前記直線上に位置して接する接触縁１０１としてある。
【００１６】
そして、挿通切欠４，４，４に支持線を順次挿通させて支持線を引っ張ると、支持線は案内部片１０の接触縁１０１に接する一方、該接触縁１０１，１０１間の支持線組付け部５（主体１）の表面に接し、支持線組付け部５にジグザグ状にして組付けられ、この組付け状態において支持線の末端部を巻付け部７に巻き付けることによって支持線ａは引留具Ａに固定される。
【００１７】
また、引留具Ａに対する支持線ａの上記組付け操作と相前後して引留具Ａを係止部３を利用して建屋や分線金物などに掛止することにより、前記支持線に支持されたケーブルを例えば、建屋に引込むことによりケーブルの引留め作業を終えることができる。
【００１８】
なお、平板状主体１の素材を合成樹脂としたときは、射出成形によっても引留具Ａを得られる。
【符号の説明】
【００１９】
１        平板状主体
３        掛止部
４        挿通切欠
５        支持線組付け部
７        固定部
１０      案内部片
１０１    接触縁
ａ        ケーブル支持線
【図１】
2012257393.tif 000003
【図２】
2012257393.tif 000004
【図３】
2012257393.tif 000005
【図４】
2012257393.tif 000006
【図５】
2012257393.tif 000007
【図６】
2012257393.tif 000008